(57)【特許請求の範囲】
【請求項１】
回転して光源から出射された光を偏向する回転多面鏡と、
前記回転多面鏡の回転軸の軸方向と交差する面の一面を覆う板部材と、を備え、
前記板部材の前記回転多面鏡と対向する側には、前記回転多面鏡から前記回転軸の軸方向において離れる方向へ回転多面鏡の回転軸の軸方向から見て円を描くように段差部が設けられ、
前記板部材には、前記段差部により凹部が形成されることで、前記回転多面鏡と対向する領域が他の領域と比較して前記回転多面鏡に近づき、
前記回転多面鏡の外接円と前記段差部が描く円とが前記軸方向から見て重なることを特徴とする光走査装置。
【請求項２】
前記板部材のうち、前記回転多面鏡の前記一面と対向する位置には、貫通孔が設けられることを特徴とする請求項２に記載された光走査装置。
【請求項３】
前記回転多面鏡の偏向面は、前記板部材を支持する側壁部材に囲まれ、前記側壁部材には、前記回転多面鏡が偏向した光が透過するレンズ部材が設けられ、前記レンズ部材の周囲において前記回転多面鏡の回転方向の一部が開放されていることを特徴とする請求項１又は２に記載の光走査装置。
【請求項４】
請求項１〜３何れか１項に記載された光走査装置と、
前記光走査装置によって出射された光が照射されて表面に静電潜像が形成される感光体と、
を備えることを特徴とする画像形成装置。
【発明の詳細な説明】
【技術分野】
【０００１】
本発明は、レーザープリンタ、デジタル複写機等の光走査装置及びこの光走査装置を備えた画像形成装置に関する。
【背景技術】
【０００２】
特許文献１に記載された光学装置は、光源から出射されるレーザ光を偏向することにより光走査を行う回転多面鏡と、この回転多面鏡を覆う光学カバーを備えている。詳細には、回転多面鏡全体を覆う光学カバーを設けることで、回転多面鏡の偏向面に塵や埃が付着するのを防止するようになっている。
【特許文献１】特開２００５−１２２０２４号公報
【発明の開示】
【発明が解決しようとする課題】
【０００３】
しかしながら、回転多面鏡の上面を覆う光学カバーの板部材は、平坦に形成されている。
【０００４】
ここで、通常、回転多面鏡を回転させた場合、回転多面鏡の上面と天井板との間には、回転多面鏡の回転軸から径方向外側へ流れる第１の空気流が発生する。また、回転多面鏡の偏向面には、回転多面鏡の偏向面に沿って天井板へ流れる第２の空気流が発生する。
【０００５】
そこで、回転多面鏡の上面を覆う板部材が平坦に形成されている場合、第１の空気流と第２の空気流が衝突すると、上方に空気の逃げ場が無く、衝突した空気は回転多面鏡を押圧する。このように、衝突した空気が回転多面鏡を押圧すると回転多面鏡に回転ムラが生じる。
【０００６】
本発明は、上記事実を考慮し、回転多面鏡の回転ムラを抑制することが課題である。
【課題を解決するための手段】
【０００７】
本発明の請求項１に係る光走査装置は、回転して光源から出射された光を偏向する回転多面鏡と、前記回転多面鏡の回転軸の軸方向と交差する面の一面を覆う板部材と、を備え、前記板部材の前記回転多面鏡と対向する側には、前記回転多面鏡から前記回転軸の軸方向において離れる方向へ回転多面鏡の回転軸の軸方向から見て円を描くように段差部が設けられ、前記板部材には、前記段差部により凹部が形成されることで、前記回転多面鏡と対向する領域が他の領域と比較して前記回転多面鏡に近づき、前記回転多面鏡の外接円と前記段差部が描く円とが前記軸方向から見て重なることを特徴とする。
【０００８】
上記構成によれば、回転多面鏡が、駆動モータの駆動力で回転して光源から出射された光を偏向する。また、板部材が、回転多面鏡の回転軸の軸方向と交差する面の一面を覆うように設けられている。
【０００９】
ここで、回転多面鏡を回転させた場合、回転多面鏡と板部材の間には、回転多面鏡の回転軸から径方向外側へ流れる第１の空気流が発生する。また、回転多面鏡の偏向面には、回転多面鏡の偏向面に沿って板部材に向って流れる第２の空気流が発生する。
【００１０】
そして、第１の空気流と第２の空気流が衝突し、衝突した空気が回転多面鏡を押圧して回転多面鏡の回転ムラが生じる場合がある。
【００１１】
しかし、回転多面鏡から離れる方向へ板部材に形成された段差部は、軸方向から見て回転多面鏡の外接円と重なるように設けられており、この段差部により板部材には凹部が形成されている。このため、第１の空気流と第２の空気流が衝突して生じた空気の流れは、凹部へ流れて回転多面鏡を押圧しない。
【００１２】
このように、衝突した空気が流れる凹部を設けることで、回転多面鏡の回転ムラを抑制することができる。
【００２５】
本発明の請求項２に係る光走査装置は、請求項１項に記載において、前記板部材のうち、前記回転多面鏡の前記一面と対向する位置には、貫通孔が設けられることを特徴とする。
【００２６】
上記構成によれば、板部材のうち、回転多面鏡の一面と対向する位置には、貫通孔が設けられている。
【００２７】
回転多面鏡が回転すると、回転多面鏡と板部材の間には、四方へ広がるように外側へ流れる第１の空気流が生じる。そうすると、第１の空気流と板部材の間が負圧となる。しかし、板部材には貫通孔が設けられているため、この貫通孔から空気が流入して負圧が解消される。
【００２８】
このように、第１の空気流によって生じた負圧を解消することで、この構成を有しない場合と比して、回転多面鏡の回転ムラを効果的に抑制することができる。
【００２９】
本発明の請求項３に係る光走査装置は、請求項１又は２に記載において、前記回転多面鏡の偏向面は、前記板部材を支持する側壁部材に囲まれ、前記側壁部材には、前記回転多面鏡が偏向した光が透過するレンズ部材が設けられ、前記レンズ部材の周囲において前記回転多面鏡の回転方向の一部が開放されていることを特徴とする。
【００３０】
上記構成によれば、板部材を支持する側壁部材は、回転多面鏡の偏向面を囲むように設けられている。また、この側壁部材には、回転多面鏡が偏向した光が透過するレンズ部材が設けられており、このレンズ部材の周囲において回転多面鏡の回転方向の一部が開放されている。そうすると、回転多面鏡が回転することで生じた空気の流れは、開放されたレンズ部材の周囲から外側へ向って流れる。
【００３１】
一方、光が透過されるレンズ部材の周囲には、光路を確保するため、突起部等の障害物等が設けられていない。
【００３２】
つまり、レンズ部材の周囲から外側へ空気を流すことで外側へ流れる空気は、障害物等と衝突することがない。このため、流れる空気が障害物と衝突することにより発生する不快な風音を低減することができる。
【００３３】
本発明の請求項４に係る画像形成装置は、請求項１〜３何れか１項に記載された光走査装置と、前記光走査装置によって出射された光が照射されて表面に静電潜像が形成される感光体と、を備えることを特徴とする。
【００３４】
上記構成によれば、請求項１〜３何れか１項に記載された光走査装置によって出射される光が感光体を照射して、感光体の表面に静電潜像が形成される。
【００３５】
ここで、光源から出射された光を偏向することにより光走査を行う回転多面鏡の回転ムラは、請求項１〜３何れか１項に記載された光走査装置を使用することで抑制されている。このため、感光体の表面に形成される静電潜像のムラを抑制することができ、さらに、出力画像のムラを抑制することができる。
【発明の効果】
【００３６】
本発明によれば、回転多面鏡の回転ムラを抑制することができる。
【発明を実施するための最良の形態】
【００３７】
本発明の実施形態に係る光走査装置が採用された画像形成装置の一例を図１から図１４に従って説明する。
（全体構成）  
図１４に示されるように、画像形成装置１０は、光走査装置２８ＣＫ、光走査装置２８ＹＭを備えている。光走査装置２８ＣＫは、感光体２４Ｃと感光体２４Ｋに走査露光するものであり、Ｃ（シアン）、Ｋ（ブラック）の各色に対応した光学系を備えている。光走査装置２８ＹＭは、感光体２４Ｙと感光体２４Ｍに走査露光するものであり、Ｙ（イエロー）、Ｍ（マゼンタ）の各色に対応した光学系を備えている。
【００３８】
また、画像形成装置１０は、Ｙ（イエロー）、Ｍ（マゼンタ）、Ｃ（シアン）、Ｋ（ブラック）、の４色のトナー像を形成する電子写真ユニット１２Ｙ、 １２Ｍ、１２Ｃ、１２Ｋを備えている。電子写真ユニット１２Ｙは、感光体２４Ｙの周囲に帯電装置２６Ｙ、光走査装置２８ＹＭ、現像装置３０Ｙ、転写装置１４Ｙ、クリーニング装置３２Ｙを配置して構成されている。電子写真ユニット１２Ｍ〜１２Ｋについても同様の構成である。
【００３９】
さらに、画像形成装置１０は、転写装置１４Ｙ〜１４Ｋによって各トナー像が積層されてカラートナー像とされる中間転写ベルト１６と、中間転写ベルト１６上に転写されたカラートナー像をトレイ１８から供給されたシート材Ｐに転写する転写装置２０と、シート材Ｐ上に転写されたカラートナー像を溶融定着させる定着装置２２とを備えている。
【００４０】
図１３に示されるように、光走査装置２８ＹＭ、２８ＣＫは、矩形箱状のハウジング３４を備える。なお、光走査装置２８ＹＭ、２８ＣＫの内部は、ほぼ同様の構造とされているため、ここでは、光走査装置２８ＣＫについてのみ説明する。
【００４１】
図１１及び図１２に示されるように、ハウジング３４には、Ｋ色に対応する光ビームＫを出射する光源部４０Ｋと、Ｃ色に対応する光ビームＣ出射する光源部４０Ｃが、出射方向が互いに９０度となるように配置されている。本実施形態では、発光源として、面発光型の半導体レーザを使用している。
【００４２】
図１２に示されるように、光源部４０Ｃ、４０Ｋは、面発光レーザチップ４１Ｃ、４１Ｋ、及び保持部材４３Ｃ、４３Ｋで構成されている。面発光レーザチップ４１Ｃ、４１Ｋは、同時に複数本の光レーザを出射可能とされている。保持部材４３Ｃ、４３Ｋは、面発光レーザチップ４１Ｃ、４１Ｋを保持するための部材であり、通称ＬＣＣ（Ｌｅａｄｌｅｓｓ  Ｃｈｉｐ  Ｃａｒｒｉｅｒ）と呼ばれており、ここでは材質としてセラミックを使用している。面発光レーザチップ４１Ｃ、４１Ｋは、保持部材４３Ｃ、４３Ｋを介して、電気回路が実装された回路基板４５Ｃ、４５Ｋに各々電気的に接続されている。
【００４３】
また、光ビームＣを出射する光源部４０Ｃは、光ビームＫを出射する光源部４０Ｋに対して高さ方向をずらして設置され、光ビームＣと光ビームＫとは高さ方向に所定の距離離間するように配置されている。
【００４４】
さらに、光源部４０Ｋから出射された光ビームＫの光路上には、光ビームＫを平行光にするためのコリメータレンズユニット４２Ｋが設けられている。コリメータレンズユニット４２Ｋを通過した光ビームＫは、反射ミラー４４の下を通り抜け、スリット板４６Ｋに入射して光路上に設けられたハーフミラー４８に入射する。
【００４５】
図１１に示されるように、ハーフミラー４８は、光ビームＫを、通過する光ビームＫと、反射して光パワーモニタ５０に入射する光ビームＢＫとに所定の割合で振り分ける。本実施形態では面発光レーザを用いているため、光量制御のための光をバックビームから得ることができないため、このように前方に出射された光ビームの一部を利用する。ハーフミラー４８を通過した光ビームＫは、シリンドリカルレンズ５２Ｋを通過し、光路上に設けられた回転多面鏡の一例としてのポリゴンミラー５４に入射する。そして、このポリゴンミラー５４は、回転軸８６（図１参照）の軸方向から見て正六角形とされている。
【００４６】
一方、光源部４０Ｃから出射された光ビームＣの光路上には、光ビームＣを平行光にするためのコリメータレンズユニット４２Ｃが設けられている。コリメータレンズユニット４２Ｃを通過した光ビームＣは、反射ミラー４４で偏向され、スリット板４６Ｃ（図１０参照）に入射して光路上に設けられたハーフミラー４８に入射する。ハーフミラー４８は、光ビームＣを、通過する光ビームＣと、反射して光パワーモニタ５０に入射する光ビームＢＣとに所定の割合で振り分ける。ハーフミラー４８を通過した光ビームＣは、シリンドリカルレンズ５２Ｃを通過し、光路上に設けられた光偏向器７０のポリゴンミラー５４に入射する。
【００４７】
ポリゴンミラー５４には、複数の反射鏡面５４Ａが設けられ、ポリゴンミラー５４に入射した光ビームＣ、Ｋは、図１０にも示すように、反射鏡面５４Ａで偏向反射されてｆθレンズ５６、５８に入射する。ポリゴンミラー５４、ｆθレンズ５６、５８は、光ビームＣ、Ｋを同時に走査できる大きさになっている。
【００４８】
また、図１０に示されるように、ｆθレンズ５６を通過した２色の光ビームＣ、Ｋは分離され、それぞれ副走査側にパワーを持つシリンドリカルミラー６０Ｃ、６０Ｋに反射される。シリンドリカルミラー６０Ｋによって反射された光ビームＫは、反射ミラー６２Ｋへ折り返され、さらに、シリンドリカルミラー６４Ｋ、反射ミラー６６Ｋによって偏向され、感光体２４Ｋに結像されて静電潜像を形成する。
【００４９】
一方、シリンドリカルミラー６０Ｃによって反射された光ビームＣは、反射ミラー６２Ｃへ折り返され、さらに、シリンドリカルミラー６４Ｃによって偏向され、感光体２４Ｃ上に結像されて静電潜像を形成する。
（要部）
次に、ポリゴンミラー５４が設けられた光偏向器７０について説明する。
【００５０】
図１、図８に示されるように、光偏向器７０には、光偏向器７０のベースとなる平面視矩形状のプリント配線板７２が設けられている。
【００５１】
図１に示されるように、ポリゴンミラー５４及びモータ７４は、プリント配線板７２の中央部よりも一側方に偏って配置されている。このプリント配線板７２には、ポリゴンミラー５４及びモータ７４の回転駆動を制御するための駆動制御回路を構成する電気部品（図示省略）が実装されており、他側端部には、電源及び信号ケーブルが接続されるコネクタ７６が実装されている。
【００５２】
また、プリント配線板７２の一側寄りには、円形の開口７８が形成されており、開口７８にはモータ７４を構成するステータ側の固定軸８０が圧入されている。
【００５３】
固定軸８０は、筒状とされており、外周面には複数の駆動コイル８２が周方向に沿って略等間隔に取り付けられている。この固定軸８０にはスリーブ８４が内挿され、スリーブ８４には、モータ７４を構成するロータ側の回転軸８６が所定の隙間（数μｍ）を空けて挿通されている。
【００５４】
さらに、回転軸８６の挿入部における外周面の上下端部には、動圧軸受けを構成するための深さ数μｍのヘリングボーン溝８８が周方向に沿って複数形成されている。また、この固定軸８０内にはオイル（潤滑剤）が充填され、漏れ出さないようシール部材９０、９２によってシールされている。
【００５５】
回転軸８６の上端部には、円盤状に形成された保持部材９４が圧入されて固定されている。保持部材９４の下部側には、前述した駆動コイル８２を覆う大径の筒状部９４Ａが設けられ、その内周面には、駆動コイル８２の外周側面に対向するリング状の駆動マグネット９６が取り付けられている。また、保持部材９４の上部に設けられた小径の筒状部９４Ｂには、ポリゴンミラー５４が嵌め入れられ、固定用バネ９８により取り付けられている。このポリゴンミラー５４はアルミニウム製で多角形柱状に形成されており、光を反射する偏向面としての反射鏡面５４Ａを備えている。
【００５６】
これにより、光偏向器７０では、プリント配線板７２に設けられた駆動制御回路が各駆動コイル８２に電圧を印加するように制御することで、各駆動コイル８２に電流が流れ、各駆動コイル８２に対向する駆動マグネット９６の磁界と上記電流とで電磁誘導作用が働き、駆動マグネット９６に対し回転駆動力が発生する。この回転駆動力によって、ポリゴンミラー５４が高速回転する。また、この回転に伴い、固定軸８０内のスリーブ８４と回転軸８６との間に動圧が発生し、この動圧により回転軸８６の径方向を支持する動圧軸受が形成される。
【００５７】
一方、図９に示されるように、この光偏向器７０には、ポリゴンミラー５４等を覆うカバー部材１０２が設けられている。図１に示されるように、このカバー部材１０２には、モータ７４と反対側のポリゴンミラー５４の面５４Ｂを覆う板状の天井板部材１０４と、天井板部材１０４を支持すると共に反射鏡面５４を囲む側壁部材１０６とが設けられている。つまり、天井板部材１０４は、ポリゴンミラー５４の回転軸の軸方向と交差する面の一面を覆う板部材である。
【００５８】
天井板部材１０４には、段差部１０８を介してポリゴンミラー５４から離れる方向へ凹む凹部１１０が設けられている。図３、図９に示されるように、段差部１０８は、回転軸８６（図１参照）の軸方向から見て回転軸８６を中心とした円を描くように設けられている。つまり、円を描くように設けられた段差部１０８の外側に凹部１１０が設けられている。
【００５９】
さらに、段差部１０８が描く円は、正六角形のポリゴンミラーの外接円と軸方向から重なるようになっている。また、図１に示すように、段差部１０８の段差（図に示す寸法Ｂ）は１ｍｍ以上とされており、ポリゴンミラー５４と板面１０５の距離（図に示す寸法Ｃ）は、１．３ｍｍ以下とされている。また、ポリゴンミラー５４の面５４Ｂと対向する天井板部材１０４には、天井板部材１０４の表裏を貫通する円孔１１２が設けられている。
【００６０】
なお、段差部１０８が描く円は、正六角形のポリゴンミラーの外接円と軸方向から重なると記載したが、この場合の重なるとは、部品の取付バラツキ及び部品の精度バラツキ等を考慮して、２ｍｍのずれまでは重なっていると考える。
【００６１】
一方、図３に示されるように、側壁部材１０６は軸方向から見てポリゴンミラー５４と一定距離を空けて反射鏡面５４Ａ覆う円弧状の円弧部１０６Ａが設けられている。そしてこの円弧部１０６Ａの一端には、接線方向へ延長させる直線部１０６Ｂが連結されており、この直線部１０６Ｂは、小円弧部１０６Ｃを介してポリゴンミラー５４から逃げる方向へ延びて端部に至っている。
【００６２】
さらに、側壁部材１０６には、ポリゴンミラー５４が反射した光を透過させるｆθレンズ５６が配置される切欠き部１０６Ｄが備えられている。そして、図３に示されるように、切欠き部１０６Ｄへｆθレンズ５６を配置した時に、ｆθレンズ５６の片側が開放されている。
（作用・効果）
次に本実施形態の作用について説明する。
【００６３】
図１１に示されるように、光源部４０から出射された光ビームがポリゴンミラー５４へ入射され、そのポリゴンミラー５４を高速回転させることにより光ビームを偏向走査する。
【００６４】
図２に示されるように、ポリゴンミラー５４を高速回転させると天井板部材１０４とポリゴンミラー５４の間には、回転軸８６（図１参照）から径方向外側へ流れる第１の空気流（図に示す矢印Ｄ）が発生する。さらに、ポリゴンミラー５４の偏向面には、反射鏡面５４Ａに沿って天井板部材１０４へ向かって流れる第２の空気流（図に示す矢印Ｅ）が発生する。そこで、第１の空気流と第２の空気流が衝突すると衝突した空気は、ポリゴンミラー５４を押圧することなく凹部１１０へ流れる。
【００６５】
このように、衝突した空気が流れる凹部１１０を設けることで、衝突した空気がポリゴンミラーを押圧するのを防ぎ、ポリゴンミラー５４の回転ムラを抑制することができる。
【００６６】
また、図３に示されるように、ポリゴンミラー５４が図中Ｆ方向へ回転すると、ポリゴンミラー５４の周囲には、矢印Ｇのような空気流が発生する。そして、発生した空気流は、部材のエッジ等にあたることなく直線部１０６Ｂの板面又は小円弧部１０６Ｃの曲面に当る。
【００６７】
このように、矢印Ｇのように流れる空気流を、直線部１０６Ｂの板面又は小円弧部１０６Ｃの曲面に当てることで、板部材のエッジや端面に当てる場合と比較して、流れる空気が障害物と衝突する時に発生す音を緩和することができる。
【００６８】
さらに、ポリゴンミラー５４が図中Ｆ方向へ回転すると、矢印Ｇのような空気流が発生し、この空気流の一部が、開放されるｆθレンズ５６の片側から外側に向って流れる（矢印Ｈ方向）。一方、光を透過させるｆθレンズ５６の周囲には、光路を確保するため、突起部等の障害物等が設けられていない。
【００６９】
つまり、ｆθレンズ５６の周囲から外側（矢印Ｈ方向）へ向う空気の流れは、障害物等と衝突することがない。このため、空気の流れが障害物と衝突することにより発生する不快な風音を低減することができる。
【００７０】
また、図８に示されるように、天井板部材１０４には、天井板部材１０４の表裏を貫通する円孔１１２が設けられている。前述したように、ポリゴンミラー５４が回転すると、ポリゴンミラーと天井板部材１０４の間には、四方へ広がるように外側へ流れる第１の空気流が生じる。そうすると、第１の空気流と天井板部材１０４の間が負圧となる。しかし、天井板部材１０４には、円孔１１２が設けられているため、この円孔１１２から空気が流入して負圧が解消される。
【００７１】
このように、第１の空気流によって生じた負圧を解消することで、この構成を有しない場合と比して、ポリゴンミラー５４の回転ムラを抑制することができる。
【００７２】
ここで、本出願の発明者は、天井板部材に凹部がもうけられていない場合と、凹部が設けられている場合とで、回転ムラの大小を評価した。
【００７３】
試験品としては、外接円径が４０ｍｍの正六角形のポリゴンミラーを使用し、段差１ｍｍの段差部が軸方向から見て描く円とポリゴンミラーの外接円が重なるように、調整した。また、比較としてフラットな天井板部材の場合も試験を行った。
【００７４】
図６の縦軸には回転ムラの大小が示されている。図６から分るように、９回試験を行ったが、凹部を設けることで回転ムラが抑制されているのが分る。
【００７５】
次に、本願発明者は、段差部が描く円の直径を４４ｍｍ、４０ｍｍ、３６ｍｍの３パターンとして、天井板部材とポリゴンミラーの距離とを変えて試験を行った。
【００７６】
試験品としては、外接円径が４０ｍｍの正六角形のポリゴンミラーを使用し、段差部の段差は１ｍｍとした。
【００７７】
先ず、側壁部材が設けられていない場合について試験を行った。図５は側壁部材が設けられていない場合の試験結果であって、横軸は天井板部材とポリゴンミラーの距離（図１に示すＣ寸法）を示し、縦軸は回転ムラの大小をします。
【００７８】
この結果より、天井板部材とポリゴンミラーとの距離が小さくなるほど、回転ムラが小さくなり、さらに、段差部が描く円の直径がポリゴンミラーの外接円の大きさと同じ場合に、回転ムラがさらに小さくなるのが分る。また、距離が１．３ｍｍ以下になると、この傾向が顕著に現れる。
【００７９】
次に、ポリゴンミラーと一定距離を空けて反射鏡面を覆う側壁部材が設けられている場合について試験を行った。図４は、側壁部材が設けられている場合の試験結果であって、横軸は天井板部材とポリゴンミラーとの距離（図１に示すＣ寸法）を示し、縦軸は回転ムラの大小をします。
【００８０】
この結果より、天井板部材とポリゴンミラーとの距離が小さくなるほど、回転ムラが小さくなり、さらに、段差部が描く円の直径がポリゴンミラーと外接円の大きさと同じ場合がさらに、回転ムラが小さくなるのが分る。また、距離が１．３ｍｍ以下になると、この傾向が顕著に現れるのが分る。
【００８１】
この結果からも分るように、段差部が描く円をポリゴンミラーの外接円とが重なるように配置し、さらに、天井板部材とポリゴンミラーとの距離を１．３ｍｍ以下にすることで、顕著に回転ムラが抑制されることが分る。
【００８２】
次に、本願発明者は、ポリゴンミラー５４と一定距離を空けて反射鏡面５４Ａ覆う円弧状の円弧部１０６Ａ（図３参照）に直線部１０６Ｂ及び小円弧部１０６Ｃを設けた場合と、直線部１０６Ｂ及び小円弧部１０６Ｃを設けない場合とで騒音の評価を行った。
【００８３】
図７（Ａ）の横軸には、ポリゴンミラーの回転数が記載され、縦軸には回転時の騒音の大小が記載されている。なお、この騒音は光走査装置全体の騒音である。
【００８４】
また、  図７（Ｂ）の横軸には、ポリゴンミラーの回転数が記載され、縦軸には回転時の騒音の大小が記載されている。なお、この騒音は光走査装置全体の騒音から、ポリゴンミラーの風音の成分を抜き出した騒音である。
【００８５】
点線は、直線部１０６Ｂ及び小円弧部１０６Ｃが設けられない場合を示し、実線は、直線部１０６Ｂ及び小円弧部１０６Ｃが設けられた場合を示す。この結果かも分るように、どの回転域でも、直線部１０６Ｂ及び小円弧部１０６Ｃを設けた場合の騒音が小さいことが分る。
【００８６】
なお、本発明を特定の実施形態について詳細に説明したが、本発明はかかる実施形態に限定されるものではなく、本発明の範囲内にて他の種々の実施形態が可能であることは当業者にとって明らかである。例えば、上記実施形態では、軸方向から見て段差部を、円を描くように設けたが、特に円に限定されず、少なくても一部が円（円弧）を描いていても良く、また円を描いていなくても良い。
【００８７】
また、本実施形態では画像形成装置内に２つの光走査装置を水平方向に２つ並べ、それぞれの光走査装置が２つの感光体を光走査する構成で説明したが、本発明はこれに限定されるものではなく、感光体毎にそれぞれ光走査装置を設けてそれぞれ１つの感光体を光走査する構成や、一つの光走査装置で３つ以上の感光体を光走査する構成でも良い。
【００８８】
さらに、本実施形態では、ポリゴンミラーの回転軸の軸方向が重力方向と略一致する構成で説明をしたが、本発明はこれに限定されるものではなく、ポリゴンミラーの回転軸の軸方向が重力方向と交差するように配置されたもの、例えば、光走査装置が画像形成装置内で斜めに配置されたものや縦型（本実施形態における光走査装置の配置に対して+−９０度回転した状態）に配置した構成でも良い。このような配置であっても、回転軸の軸方向で離れる方向へ凹部が設けられていれば、回転多面鏡の回転ムラを抑制することができる。
【図面の簡単な説明】
【００８９】
【図１】本発明の実施形態に係る光走査装置の光偏向器を示した断面図である。
【図２】本発明の実施形態に係る光走査装置の光偏向器を示した拡大断面図である。
【図３】本発明の実施形態に係る光走査装置の光偏向器を示した平面図である。
【図４】本発明の実施形態に係る光走査装置の回転ムラを評価した図面である。
【図５】本発明の実施形態に係る光走査装置の回転ムラを評価した図面である。
【図６】本発明の実施形態に係る光走査装置の回転ムラを評価した図面である。
【図７】本発明の実施形態に係る光走査装置の回転ムラを評価した図面である。
【図８】本発明の実施形態に係る光走査装置の光偏向器を示した斜視図である。
【図９】本発明の実施形態に係る光走査装置の光偏向器を示した分解斜視図である。
【図１０】本発明の実施形態に係る光走査装置及び感光体を示した側面図である。
【図１１】本発明の実施形態に係る光走査装置を示した平面図である。
【図１２】本発明の実施形態に係る光走査装置を示した概念図である。
【図１３】本発明の実施形態に係る光走査装置を示した斜視図である。
【図１４】本発明の実施形態に係る光走査装置が採用された画像形成装置をしめした概略構成図である。
【符号の説明】
【００９０】
１０        画像形成装置
２８        光走査装置
５４        ポリゴンミラー
５４Ａ      反射鏡面（偏向面）
５４Ｂ      面
５６        ｆθレンズ（レンズ部材）
７４        モータ（駆動モータ）
８６        回転軸
１０４      天井板部材（板部材）
１０６      側壁部材
１０６Ｄ    切欠き部
１０８      段差部
１１０      凹部
１１２      円孔
【図１】
0004506860.tif 000002
【図２】
0004506860.tif 000003
【図３】
0004506860.tif 000004
【図４】
0004506860.tif 000005
【図５】
0004506860.tif 000006
【図６】
0004506860.tif 000007
【図７】
0004506860.tif 000008
【図８】
0004506860.tif 000009
【図９】
0004506860.tif 000010
【図１０】
0004506860.tif 000011
【図１１】
0004506860.tif 000012
【図１２】
0004506860.tif 000013
【図１３】
0004506860.tif 000014
【図１４】
0004506860.tif 000015